(57)【特許請求の範囲】
【請求項１】
床スラブに埋設された排水用配管部材を床スラブから取り除くための排水用配管部材の引き抜き治具であって、
前記排水用配管部材の下方に配置される引き上げ駒部材と、前記排水用配管部材を貫通して前記引き上げ駒部材を吊り下げ支持する軸部材と、該軸部材を前記床スラブの上側で支持する支持部材と、前記引き上げ駒を前記軸部材の軸方向に上昇させる上昇機構と、を備え、
前記引き上げ駒部材は、前記排水用配管部材の下端の内径より大きく形成されておって前記排水用配管部材の下端を下方から支持できる構成とされており、該排水用配管部材の下端を下方から該引き上げ駒部材で支持して前記上昇機構により上昇させることにより前記排水用配管部材を上昇させて床スラブから引き抜くことを特徴とする排水用配管部材の引き抜き治具。
【発明の詳細な説明】
【技術分野】
【０００１】
本発明は、排水用配管部材の引き抜き治具に関する。
【背景技術】
【０００２】
集合住宅等の排水設備においては、立て管系統が各階の床スラブを貫いて配されており、例えば、図１３に示されるように、排水管継手１１が床スラブＳに埋設されて固定されている。かかる排水設備を更新するにあたっては、既存の排水管継手を床スラブから撤去し、新たな排水管継手を配設する必要がある。従来、既存の排水管継手を床スラブから撤去する際には、下記特許文献１に示されるように、床スラブの貫通孔と排水管継手との間を埋める目地材としてのモルタルをダイアモンドカッターで破壊したうえで、作業者が排水管継手を引っ張り上げて、床スラブからを引き抜く方法が採られている。
【先行技術文献】
【特許文献】
【０００３】
【特許文献１】特開２００７−１３８４２８号公報
【発明の概要】
【発明が解決しようとする課題】
【０００４】
集合住宅等での排水設備の更新工事においては、できるだけ住人の日常生活を妨げないよう配慮が必要とされる。しかし、ダイアモンドカッターでモルタルを破壊すると、振動や騒音が床スラブを介して直接的に居住空間へ伝達される発生する問題がある。また、排水技術の進歩により、排水管継手はスリム化されており、撤去される旧型の排水管継手よりも新に配設される排水管継手のほうが小径であることが多い。そのため、モルタルを破壊することで床スラブの孔が拡大されると、新たな排水管継手を埋設する際には、孔と排水管継手との間隙を埋めるのに、より多くのモルタルを要することとなり、資材のロスを生じる問題もある。
【０００５】
これらの問題を鑑みれば、モルタルを破壊することなく排水管継手を床スラブから引き抜くのが望ましい。そのため、排水管継手の床スラブから突出した部位の外周を把持し、ジャッキで引き上げて、排水管継手を床スラブから引き抜く場合もある。しかし、排水管継手が把持しにくい構成である場合には適用できない。例えば、図１３に示される排水管継手１１は、単管式排水システムの代表的な継手の一つである所謂ソベント継手であり、従来、集合住宅等で広く用いられていたものであるが、鋼板を溶接して形成されており、胴回りを把持すると撓み易く、引っ掛かりも少ないため、外側から把持してジャッキで持ち上げるのは難しい。また、このような継手に限らず、床スラブから突出した部位が短いか、若しくは床スラブから突出していない埋設状態の配管部材は、外側から把持することさえできないため、引き抜くことができない。
【０００６】
そこで、本発明の課題は、床スラブに埋設された排水用配管部材を床スラブから取り除くにあたり、排水用配管部材の外形や埋設状態による制約を受けずに排水用配管部材を引き抜き可能とすることにある。
【課題を解決するための手段】
【０００７】
上記課題を解決するために本発明は次の手段を採用する。
本発明は、床スラブに埋設された排水用配管部材を床スラブから取り除くための排水用配管部材の引き抜き治具であって、前記排水用配管部材の下方に配置される引き上げ駒部材と、前記排水用配管部材を貫通して前記引き上げ駒部材を吊り下げ支持する軸部材と、該軸部材を前記床スラブの上側で支持する支持部材と、前記引き上げ駒を前記軸部材の軸方向に上昇させる上昇機構と、を備え、前記引き上げ駒部材の外径は、前記排水用配管部材の下端の内径より大きく形成されておって前記排水用配管部材の下端を下方から支持できる構成とされており、該排水用配管部材の下端を下方から該引き上げ駒部材で支持して前記上昇機構により上昇させることにより前記排水用配管部材を上昇させて床スラブから引き抜くことを特徴とする排水用配管部材の引き抜き治具である。
【０００８】
かかる排水用配管部材の引き抜き治具によれば、排水用配管部材（以下、単に配管部材と称することがある。）を引き上げる際に、引き上げ駒部材で排水用配管部材の下端を下方から支持して引き上げるため、どんな外形や埋設態様の配管部材でも床スラブから引き抜くことができる。
【０００９】
上記本発明の前記引き上げ駒部材を上昇させる上昇機構は、前記軸部材にはその上部に雄螺子を形成した上部雄螺子部位を、前記支持部材には雌螺子を形成した雌螺子螺合孔部位を備えて、該上部雄螺子部位と該雌螺子螺合孔部位とが軸方向に相対移動自在に螺合して前記軸部材が前記支持部材に支持されており、前記軸部材の上部雄螺子部位と前記支持部材の雌螺子螺合孔部位との前記軸部材を上昇させる相対回転による前記軸部材の上昇に伴い、前記軸部材と一体的とされている前記引き上げ駒部材を上昇させる機構であることが好ましい。
【００１０】
また、上記本発明の前記引き上げ駒部材を上昇させる上昇機構は、前記軸部材は前記支持部材に対して軸周りに回転自在に支持されており、その下部に雄螺子を形成した下部雄螺子部位を備え、前記引き上げ駒部材は雌螺子を形成した雌螺子螺合孔部位を備えて、該引き上げ駒部材の雌螺子螺合孔部位が前記軸部材の下部雄螺子部位に対して軸方向に移動自在に螺合して該引き上げ駒部材が前記軸部材に支持されており、前記軸部材の前記引き上げ駒部材を上昇させる回転により前記引き上げ駒部材を前記軸部材に沿って上昇させる機構であることも好ましい。
【００１１】
また、本発明の排水用配管部材の引き抜き治具は、前記軸部材には該軸部材に微振動を与えることのできる加振手段具が連結配設されており、該加振手段具により前記引き上げ駒部材を微振動させながら上昇させることが好ましい。この場合、引き上げ駒部材から排水用配管部材に微振動が伝達されることで、排水用配管部材がモルタル等の目地材から剥がれやすくなり、円滑に排水用配管部材を床スラブから引き抜くことができる。
【発明の効果】
【００１２】
本発明の排水用配管部材の引き抜き治具によれば、引き抜きの対象となる排水用配管部材の外形や埋設状態に制約されることなく、モルタル等の目地材を破壊せずに排水用配管部材を床スラブから引き抜き抜くことができる。
【図面の簡単な説明】
【００１３】
【図１】本発明の実施形態１に係る排水用配管部材の引き抜き治具の正面図であり、ソベント継手を引き抜く前の状態を示す図である。
【図２】図１に示される排水用配管部材の引き抜き治具の正面図であり、ソベント継手を引き抜いた後の状態を示す図である。
【図３】図１に示される排水用配管部材の引き抜き治具のＩＩＩ−ＩＩＩ線断面を拡大して示す図である。
【図４】実施形態１の変更例１に係る排水用配管部材の引き抜き治具の正面図であり、ソベント継手を引き抜く前の状態を示す図である。
【図５】本発明の実施形態１の変更例２に係る排水用配管部材の引き抜き治具の正面図であり、排水トラップを引き抜く前の状態を示す図である。
【図６】図５に示される排水用配管部材の引き抜き治具の正面図であり、排水トラップを引き抜いた後の状態を示す図である。
【図７】本発明の実施形態１の変更例３に係る排水用配管部材の引き抜き治具の正面図であり、排水管継手を引き抜く前の状態を示す図である。
【図８】図７に示される排水用配管部材の引き抜き治具の正面図であり、排水管継手を引き抜く過程を示す図である。
【図９】本発明の実施形態２に係る排水用配管部材の引き抜き治具の正面図であり、ソベント継手を引き抜く前の状態を示す図である。
【図１０】図９に示される排水用配管部材の引き抜き治具の正面図であり、ソベント継手を引き抜いた後の状態を示す図である。
【図１１】図９に示されるＸＩ部分を拡大して示す図である。
【図１２】図９に示される排水用配管部材の引き抜き治具のＸＩＩ−ＸＩＩ線断面を拡大して示す図である。
【図１３】従来の排水設備を構成するソベント継手の正面図である。
【発明を実施するための形態】
【００１４】
［実施形態１］
図１〜３等を参照しながら本発明の一実施形態について説明する。本実施形態は、床スラブＳに埋設された既存のソベント継手１１を引き抜く実施形態の一例である。ソベント継手１１は、図１３に示されるように、胴部１１ａと、下階の立て管１２ｂを接続するための下部接続部１１ｂと、上階の立て管１２ｃを接続するための上部接続部１１ｃとを備えている。胴部１１ａは、略角柱状で下方が一方向に偏って窄んだ形状となっており、下部に直管状の下部接続部１１ｂが延設されている。胴部１１ａの上部には、下部接続部１１ｂとは軸線のずれた位置から上部接続部１１ｃが延設され、屈曲しながら上方へ延びている。また、胴部１１ａの前記一方向の壁面には、上下に段違いで２つの横枝管接続口１１ｄ，１１ｅが設けられている。ソベント継手１１は、床スラブＳを貫通した状態で床スラブＳに固着されており、直管状の下部接続部１１ｂが下階に延びている。
【００１５】
図１に示されるように、本実施形態の排水用配管部材の引き抜き治具２１は、支持部材３１と、軸部材４１と、引き上げ駒部材５１と、引き上げ駒部材５１を軸部材４１とともに上昇させる上昇機構２３と、を備えている。先ず、この引き抜き治具２１を構成する各部材について説明する。
【００１６】
＜支持部材３１について＞
支持部材３１は、床スラブＳに立設される本体部３３を備えている。本体部３３は、互いに離間して配置された一対の脚部位３３ａ，３３ａと、該脚部位３３ａ，３３ａの上端部を連結する水平な支持部位３３ｂとを有し、全体として門形である。脚部位３３ａ，３３ａの下部には高さ調節機構３５，３５が設けられている。各高さ調節機構３５は、アジャストボルト３５ａと、脚部位３３ａの下端に固定されたナット３５ｂとで構成されている。アジャストボルト３５ａは、略全長にわたって雄螺子が形成されており、ナット３５ｂに対して進退可能に螺合している。アジャストボルト３５ａのねじ込み量を調節することで支持部材３１の高さを調節することができ、その位置で高さが保持される。
【００１７】
支持部材３１は、本体部３３の支持部位３３ｂの中央に軸部材４１を挿通可能な垂直な貫通孔３７が設けられているとともに、本体部３３とは別体のナット３９を有する。ナット３９は、外形が支持部位３３ｂの貫通孔３７の内径より大きく、中央の貫通孔に雌螺子が形成されている。そして、支持部位３３ｂの貫通孔３７に挿通した軸部材４１の貫通孔３７より上方に突出した部分に螺合し、スラスト軸受４０を介して貫通孔３７に対して軸部材４１を抜け止めしている。このナット３９により支持部位３３ｂに軸部材４１が支持されている。ナット３９は、軸部材４１に対して軸方向に相対移動自在に螺合しており、本発明の雌螺子螺合孔部位に相当し、後で詳述するように、上昇機構２３をも構成する。
【００１８】
＜軸部材４１について＞
軸部材４１は、その上部に支持部材３１の雌螺子螺合孔部位であるナット３９と螺合する雄螺子が形成されている。この雄螺子が形成された部位を上部雄螺子部位４３と称する。上部雄螺子部位４３は軸方向に長く形成されており、ナット３９に対して軸方向に相対移動自在に螺合している。軸部材４１は、ソベント継手１１を貫通して配置され、ソベント継手１１の下端の開口部の中心を貫いている。つまり、直管状の下部接続部１１ｂと同軸で配置されている。ソベント継手１１では、図１３に示されるように、上階の排水立て管１２ｃとの接続に係る上部接続部１１ｃが、下部接続部１１ｂとは管軸のずれた位置から上方へ延びて屈曲している。したがって、ソベント継手１１では、下部接続部１１ｂの真上に、直線的に連通する開口がないため、天板に孔を開けて軸部材４１を貫通される。図１に示されるように、ソベント継手１１を貫通して下方に突出した軸部材４１の下端部には、引き上げ駒部材５１が取り付けられている。なお、本実施形態では、２本の棒状部材４１ａ，４１ｂを連結具４２で連結して、１本の軸部材４１としている。
【００１９】
＜引き上げ駒部材５１について＞
引き上げ駒部材５１は、図３に示されるように、径の異なる略円盤状の部位を同心で上下に重ねたような形状であり、相対的に大径の支持部位５５と、その上に一体形成された相対的に小径の位置決め部位５７とを備え、支持部位５５の上面周縁に段部５５ａが形成されている。支持部位５５の外径は、ソベント継手１１の下部接続部１１ｂの内径αより大きく、下部接続部１１ｂの外径βより小さい扁平な円筒状に形成されている。位置決め部位５７の外径は、ソベント継手１１の下部接続部１１ｂの内径αよりも小さく形成されており、下部接続部１１ｂに挿入可能とされている。位置決め部位５７は、上方に向かって緩やかに窄まったテーパ形状であって、該テーパ形状により下部接続部１１ｂへの挿入を案内することができる。
【００２０】
引き上げ駒部材５１は、中心に貫通孔５３が形成されており、該貫通孔５３に軸部材４１が貫通された状態で、軸部材４１に吊り下げ支持されている。軸部材４１の下端に螺合したナット４５で抜け止めされるとともに、引き上げ駒部材５１の外周面から中心に向かって貫通形成されたネジ孔にボルト５９ａを締め込み、軸部材４１の外周に形成された平面部４１ｆにボルトの先端で押圧することで、軸周りの回転が規制された状態で軸部材４１に取り付けられている。軸部材４１は、引き上げ駒部材５１の位置決め部位５７が下部接続部１１ｂに挿入され、支持部位５５の段部５５ａが下部接続部１１ｂの下端に押し当てられた状態となるように、引き上げ駒部材５１を吊り下げ支持している。すなわち、図１に示されるように、このような吊り下げ支持状態となるように、支持部材３１のナット３９が軸部材４１の上部雄螺子部位４３にねじ込まれている。
【００２１】
＜上昇機構２３について＞
引き上げ駒部材５１を上昇させる上昇機構２３は、支持部材３１の雌螺子螺合孔部位であるナット３９を回転させることで、該ナット３９に螺合する軸部材４１が上昇し、それに追従して軸部材４１の下部に取り付けられた引き上げ駒部材５１が上昇する構造となっている。引き上げ駒部材５１は、ソベント継手１１の下部接続部１１ｂの下端に押し当てられており、引き上げ駒部材５１を介して軸部材４１にかかるソベント継手１１の重みが、軸部材４１の上部雄螺子部位４３とナット３９との摩擦力に勝っているため、ナット３９を回転させても、軸部材４１はナット３９に追従して回転はしない。そのため、ナット３９をその場で回転させることで、軸部材４１の上部雄螺子部位４３の螺子溝とナット３９の螺子溝との嵌め合いにより、軸部材４１は上方へ案内される。したがって、例えば、ラチェットレンチやスパナなどの工具を用いてナット３９を回すことで、図２に示されるように、引き上げ駒部材５１を軸部材４１とともに上昇させることができる。
【００２２】
かかる構成の引き抜き治具２１は、ナット３９を回転させて引き上げ駒部材５１を上昇させることで、引き上げ駒部材５１でソベント継手１１の下端を下方から支持しながら引き上げることができる。その引き上げる力により、床スラブＳからソベント継手１１が剥がされ、引き抜き可能となる。本実施形態では、上昇機構２３による引き上げ駒部材５１の上昇距離が、ソベント継手１１の全長を床スラブＳから引き抜くことが可能な距離となっている。すなわち、軸部材４１の上部雄螺子部位４３は、少なくともソベント継手１１の全長を床スラブＳから引き抜きくことが可能な距離だけは上昇可能とする範囲に設けられている。また、支持部材３１は、支持部位３３ｂが少なくともソベント継手１１の全長が床スラブＳから引き抜かれるまではソベント継手１１とは干渉しない高さ位置に保持されている。また、ソベント継手１１の上部接続部１１ｃ（図１３参照）が軸部材４１の上昇の妨げになる場合は、予め上部接続部１１ｃを切除しておくのが望ましい。
【００２３】
このような引き抜き治具２１によれば、軸部材４１に吊り下げ支持された引き上げ駒部材５１でソベント継手１１の下端を下方から支持して引き上げるため、ソベント継手１１のように外側から把持しにくい形状の排水用配管部材であっても引き上げることができる。そのため、その引き上げ力により床スラブＳからソベント継手１１を引き剥がすことができ、床スラブＳを破壊することなく、ソベント継手１１を床スラブＳから引き抜くことができる。
【００２４】
なお、上記実施形態１は、その他種々の変更例が考えられるものである。
例えば、引き上げ駒部材５１を上昇させるためのナット３９は、所謂六角ナットに限定されない。例えば、軸部材４１に対して所定の螺合位置付近まで無回転で挿入可能な所謂クイックナットや、軸周りに分割形成された分割ナット片を所定の螺合位置付近で連結させて締め付けることのできる分割ナットなどを用いることもできる。これらを用いれば、引き抜き治具２１の組み立て・設置にあたり、軸部材４１に対して、初期の螺合位置付近までナットをねじ込む作業が省略され、作業時間の短縮が可能である点で好ましい。
また、ナット３９は、工具で回転操作するものに限らない。ナット３９自体に把持して回転させることのできる部位を設ければ、工具を用いなくても回転操作を可能とすることができる。その一例を変更例１として後述する。
また、床スラブＳから引き抜く対象となる排水用配管部材は、ソベント継手１１に限らず、床スラブＳを貫通して配設されている各種の配管部材を対象とすることができる。例えば、後で変更例２として例示する排水トラップや、変更例３として例示するソベント継手１１とは異なる形態の排水管継手、或いは、排水管やそれを繋ぐソケット等の配管部材も引き抜きの対象とすることができる。
また、上記実施形態１の上昇機構２３は、支持部材３１の雌螺子螺合孔部位であるナット３９を回転操作させることで軸部材４１を上方へ移動させる構成であるが、これに限らず、支持部材３１に雌螺子螺合孔部位を固定して設け、軸部材４１を回転操作して上昇させる構成としてもよい。雌螺子螺合孔部位は、例えば、支持部材３１にナットを固定したり、あるいは貫通孔３７に雌螺子を形成したりして、支持部材３１に固定して設けることができる。
【００２５】
［変更例１］
図４を参照しながら変更例１について説明する。変更例１は、本発明の一実施形態であって、上記実施形態１の一部のみを変更した実施形態である。上記実施形態から変更を要しない部分については、図中に同じ符号で示し、詳細な説明は省略する。
【００２６】
変更例１では、支持部材３１の雌螺子螺合孔部位として、外周に外方へ延びるハンドル３８ａ，３８ａを備えたナット３８を用いている。そのため、ハンドル３８ａ，３８ａを操作することにより工具を用いなくてもナット３８を回転させて引き上げ駒部材５１を上昇させてソベント継手１１を引き抜くことができる。
【００２７】
［変更例２］
図５，６を参照しながら変更例２について説明する。変更例２は、本発明の一実施形態であって、上記実施形態１の引き抜き治具２１により、床スラブＳに埋設された排水トラップ１３を引き抜く実施形態である。上記実施形態から変更を要しない部分については、図中に同じ符号で示し、詳細な説明は省略する。
【００２８】
排水トラップ１３は、ワントラップ或いはわん型排水トラップ等と称される排水トラップであり、図５に示されるように、容器型の本体部が床スラブＳに埋め込まれ、上部開口１３ａは床スラブＳの上面と略面一とされ、排水管が接続される下部接続部１３ｂは床スラブＳの下面と面一とされている。排水トラップ１３を床スラブＳから引き抜く際には、ストレーナ（図示省略）や、わん（図示省略）が取り外され、上部開口１３ａと下部接続部１３ｂとが垂直方向に直線的に連通した状態とされる。そして、軸部材４１が上部開口１３ａと下部接続部１３ｂとを貫通し、引き上げ駒部材５１を下部接続部１３ｂの下端に押し当てた状態として吊り下げ支持している状態とする。次いで、図６に示されるように、ナット３９を回転させて引き上げ駒部材５１を上昇させることで、排水トラップ１３を床スラブＳから引き抜くことができる。このように、引き抜き治具２１によれば、配管部材が床スラブＳから突起していなくても引き抜くことができる。なお、図５，６では、支持部材３１の高さ調節機構３５を構成するアジャストボルト３５ａのねじ込み量を最大とすることで、支持部材３１が最低の高さ位置で保持されている様子を例示した。排水トラップ１３は、垂直方向の寸法が比較的小さいく、床スラブＳから完全に引き抜くのに必要な引き上げ駒部材５１の上昇距離が短いため、支持部材３１が比較的低くても引き抜き可能である。
【００２９】
［変更例３］
図７，８を参照しながら変更例３について説明する。変更例３は、本発明の一実施形態であって、上記実施形態１の引き抜き治具２１により、ソベント継手１１とは異なる形態の排水管継手１５を床スラブＳから引き抜く実施形態である。
【００３０】
排水管継手１５は、上階の排水立て管との接続に係る上部接続部１５ａと、下階の排水立て管との接続に係る下部接続部１５ｂとが同軸で配置されており、胴周りに複数の横枝管接続部１５ｃを備えている。排水管継手１５は、床スラブＳを貫通した状態で床スラブＳに固着されている。この排水管継手１５を床スラブＳから引き抜く際には、図７に示されるように、軸部材４１が上部開口１５ａと下部接続部１５ｂとを貫通し、引き上げ駒部材５１を下部接続部１５ｂの下端に押し当てた状態として吊り下げ支持している状態とする。次いで、ナット３９を回転させて引き上げ駒部材５１を上昇させる（図８参照）。それにより、引き上げ駒部材５１で排水管継手１５を下方から支持して引き上げ、排水管継手１５を床スラブＳから引き抜くことができる。
【００３１】
［実施形態２］
図９〜１２を参照しながら、本発明の別の実施形態について説明する。本実施形態は、床スラブＳに埋設された既存のソベント継手１１を引き抜く実施形態の一例である。ソベント継手１１の構成は上記実施形態１と同様であるから、詳細な説明は省略する。
【００３２】
図９に示されるように、本実施形態の引き抜き治具６１は、支持部材７１と、軸部材８１と、引き上げ駒部材９１と、引き上げ駒部材９１を軸部材８１に沿って上昇させる上昇機構６３と、軸部材８１に微振動を与えることのできる加振手段具としてのインパクトレンチ６５と、を備えている。先ず、この引き抜き治具６１を構成する各部材について説明する。
【００３３】
＜支持部材７１について＞
支持部材７１は、床スラブＳに立設される本体部７３を備えている。本体部７３は、互いに離間して配置された一対の脚部位７３ａ，７３ａと、該脚部位７３ａ，７３ａの上端部を連結する水平な支持部位７３ｂとを有し、全体として門形である。支持部位７３ｂの中央には、軸部材８１を挿通可能な垂直な貫通孔７７が形成されている。後で詳述するように、軸部材８１は、この貫通孔７７に挿通された状態で、軸周りに空転可能に支持部材７１に支持されている。なお、脚部位７３ａ，７３ａの下部には高さ調節機構７５，７５が設けられている。その構成は、上記実施形態１の高さ調節機構３５と同様であるから詳細な説明は省略する。
【００３４】
＜軸部材８１について＞
軸部材８１は、その上部が支持部材７１の支持部位７３ｂの貫通孔７７に挿通された状態で、支持部材７１に垂直に支持されている。図１１に示されるように、軸部材８１の上部には、雄螺子８１ｃが形成されており、貫通孔７７を挟んで上下位置にナット７９ａ，７９ｂが締めこまれて貫通孔７７に対して抜け止めされ、支持部材７１に支持されている。貫通孔７７にはネジ溝は形成されておらず、軸部材８１は、貫通孔７７に対して軸周りに空転可能となっている。また、ナット７９ａ，７９ｂと支持部位７３ｂとの間にはスラスト軸受８０ａ，８０ｂが介在しており、軸部材８１を軸周りに回転させると、該軸部材８１に追従してナット７９ａ，７９ｂも回転することで、軸部材８１は、高さ位置を保持したままで空転可能となっている。
【００３５】
図９に示されるように、軸部材８１は、その下部に雄螺子が形成されている。この雄螺子が形成された部位を下部雄螺子部位８３と称する。下部雄螺子部位８３は軸方向に長く形成されており、引き上げ駒部材９１に対して軸方向に相対移動自在に螺合し、引き上げ駒部材９１を吊り下げ支持している。
なお、本実施形態では、２本の棒状部材８１ａ，８１ｂを連結具８２で連結して、１本の軸部材８１としている。
【００３６】
＜引き上げ駒部材９１について＞
引き上げ駒部材９１は、図１２に示されるように、径の異なる略円盤状の部位を同心で上下に重ねたような形状であり、相対的に大径の支持部位９５と、その上に一体形成された相対的に小径の位置決め部位９７とを備え、支持部位９５の上面周縁に段部９５ａが形成されている。支持部位９５の外形は、ソベント継手１１の下部接続部１１ｂの内径αより大きく、下部接続部１１ｂの外径βより小さい扁平な円筒状に形成されている。位置決め部位９７の外形は、ソベント継手１１の下部接続部１１ｂの内径αよりも小さく形成されており、下部接続部１１ｂに挿入可能とされている。位置決め部位９７は、上方に向かって緩やかに窄まったテーパ形状であって、該テーパ形状により下部接続部１１ｂへの挿入を案内することができる。
【００３７】
引き上げ駒部材９１の中心には、貫通孔が設けられ、その内面に螺子溝が切られて雌螺子が形成されている。この雌螺子が形成された部位９３を雌螺子螺合孔部位と称する。雌螺子螺合孔部位９３は軸部材８１の下部雄螺子部位８３に対して進退可能に螺合しており、それにより、引き上げ駒部材９１は軸部材８１に吊り下げ支持されている。引き上げ駒部材９１は、位置決め部位９７がソベント継手１１の下部接続部１１ｂに挿入され、支持部位９５の段部９５ａが下部接続部１１ｂの下端に押し当てられるまで軸部材８１の下部雄螺子部位８３にねじ込まれている。
【００３８】
＜上昇機構６３について＞
引き上げ駒部材９１を上昇させる上昇機構６３は、軸部材８１を軸周りに回転させることで、該軸部材８１に沿って引き上げ駒部材９１が上昇する構造となっている。引き上げ駒部材９１は、ソベント継手１１の下部接続部１１ｂの下端に押し当てられており、引き上げ駒部材９１にかかるソベント継手１１の重みが、雌螺子螺合孔部位９３と軸部材８１の下部雄螺子部位８３との摩擦力に勝っているため、軸部材８１を軸周りに回転させても、引き上げ駒部材９１は軸部材８１に追従して回転はしない。そして、軸部材８１だけが回転することで、軸部材８１の下部雄螺子部位８３と引き上げ駒部材９１の雌螺子螺合孔部位９３の螺子溝との嵌め合いにより、引き上げ駒部材９１が上方へ案内される。
【００３９】
＜加振手段具について＞
加振手段具としてのインパクトレンチ６５は、軸部材８１に微振動を与えながら該軸部材８１を回転させることができ、延いては、引き上げ駒部材９１を微振動させながら上昇させることができる。
【００４０】
かかる構成の引き抜き治具６１は、インパクトレンチ６５で軸部材８１を回転させて引き上げ駒部材９１を上昇させることで、引き上げ駒部材９１でソベント継手１１の下端を下方から支持し、微振動を与えながら引き上げることができる。その引き上げる力により、床スラブＳからソベント継手１１が剥がされ、引き抜き可能となる。本実施形態では、軸部材８１の下部雄螺子部位８３が、少なくともソベント継手１１の全長を床スラブＳから引き抜きくことが可能な距離だけは引き上げ駒部材９１を上方に移動させることのできる範囲に設けられている。したがって、ソベント継手１１の全長を床スラブＳから引き抜きくことができる（図１０参照）。
【００４１】
このような引き抜き治具６１によれば、軸部材８１に吊り下げ支持された引き上げ駒部材９１でソベント継手１１の下端を下方から支持して引き上げるため、ソベント継手１１のように外側から把持しにくい形状の排水用配管部材に対しても効率よく引き上げ方向への力を作用させることができる。更に、インパクトレンチ６５で引き上げ駒部材９１に微振動を与えながら上昇させることで、ソベント継手１１を微振動させながら引き上げることができ、より容易に床スラブＳからソベント継手１１を引き剥がして、引き抜き可能とすることができる。
【００４２】
なお、実施形態２もその他種々の変更例が考えられるものである。
例えば、実施形態２でも、引き抜き治具６１床スラブＳから引き抜く対象となる排水用配管部材は、ソベント継手１１に限らず、床スラブＳを貫通して配設されている各種の配管部材を対象とすることができる。例えば、排水トラップや、ソベント継手１１とは異なる形態の排水管継手、或いは、排水管やそれを繋ぐソケット等の配管部材も引き抜きの対象とすることができる。
【符号の説明】
【００４３】
１１   排水管継手（ソベント継手）
１１ｂ 下部接続部
１３   排水トラップ
１５   排水管継手
２１   引き抜き治具
２３   上昇機構
３１   支持部材
３３ｂ 支持部位
３７   貫通孔
３８   ナット（雌螺子螺合孔部位）
３８ａ，３８ａ       ハンドル
３９   ナット（雌螺子螺合孔部位）
４０   スラスト軸受
４１   軸部材
４３   上部雄螺子部位
４５   ナット
５１   駒部材
５５ａ 段部
６１   引き抜き治具
６３   上昇機構
６５   インパクトレンチ（加振手段具）
７１   支持部材
７３ｂ 支持部位
７７   貫通孔
７９ａ，７９ｂ       ナット
８０ａ，８０ｂ       スラスト軸受
８１   軸部材
８１ｃ 雄螺子
８３   下部雄螺子部位
９１   駒部材
９３   雌螺子螺合孔部位
９５ａ 段部
Ｓ     床スラブ
【図１】
0005450239.tif 000002
【図２】
0005450239.tif 000003
【図３】
0005450239.tif 000004
【図４】
0005450239.tif 000005
【図５】
0005450239.tif 000006
【図６】
0005450239.tif 000007
【図７】
0005450239.tif 000008
【図８】
0005450239.tif 000009
【図９】
0005450239.tif 000010
【図１０】
0005450239.tif 000011
【図１１】
0005450239.tif 000012
【図１２】
0005450239.tif 000013
【図１３】
0005450239.tif 000014